(57)【要約】【課題】  積み重ねた状態で、全ての無線タグが確実に情報を受信できる形状の電子機器保管トレイを提供する。【解決手段】  略直方体形状のトレイ１の上面側には側辺部に沿って上嵌合部３が形成されており、トレイ１の下面側には上嵌合部３の形状に応じて側辺部に沿って下嵌合部４が形成されている。トレイ１の１角部には切り欠き部５が形成されており、この切り欠き部５の形状に応じて上嵌合部３の一角部が上面から見た形状が面取り形状の面取り部６が形成される。そして、この面取り部６から特定の側辺に沿って所定距離の位置の側壁部に無線タグ１０が装着されている。また、下嵌合部４にも上嵌合部３に対応する形状の面取り部７が形成される。これにより、面取り部６，７が一致する特定の一方向にのみトレイ１が積み重ねられ、各トレイ１の無線タグ１０の水平方向に対する位置が一致する。【選択図】  図１
2005219763.tif 000002
【特許請求の範囲】
【請求項１】
内部に保管されている電子機器の情報を保持し、該情報の送受信を電波により行う無線タグが装着され、且つ上面部の側辺部および下面部の側辺部に沿ってそれぞれ上嵌合部と下嵌合部とを設けることで積み重ね可能に形成された電子機器保管トレイにおいて、
該電気機器保管トレイは、一方向についてのみ積み重ね可能に形成されているとともに、前記側辺部の一定の箇所に前記無線タグが装着されていることを特徴とする電気機器保管トレイ。
【請求項２】
内部に保管されている電子機器の情報を保持し、該情報の送受信を電波により行う無線タグが装着され、且つ上面部の側辺部および下面部の側辺部に沿ってそれぞれ上嵌合部と下嵌合部とを設けることで積み重ね可能に形成された略直方体形状の電子機器保管トレイにおいて、
前記上嵌合部および前記下嵌合部の対向する側辺部のうち、少なくも１組の側辺部は非対称形状に形成されており、
該非対称形状に対して特定の位置に前記無線タグが装着されていることを特徴とする電子機器保管トレイ。
【請求項３】
前記非対称形状は、前記上嵌合部および前記下嵌合部の少なくとも１つの角部を他の角部と異なる形状にすることにより形成されている請求項２に記載の電子機器保管トレイ。
【請求項４】
前記上嵌合部と前記下嵌合部との他の角部とは形状の異なる角部を有する側壁の角部が、他の側壁の角部と異なる形状である請求項３に記載の電子機器保管トレイ。
【発明の詳細な説明】
【技術分野】
【０００１】
この発明は、組み立て工程やストレージ時に電子機器を保管するトレイ、特に、保管されている電子機器の情報を読み書き可能な無線タグを備え、且つ積み重ね可能な電子機器保管トレイに関するものである。
【背景技術】
【０００２】
従来、液晶テレビジョン等の電子機器の組み立て工程やストレージ工程では、これらの電子機器の未完成モジュール（以下、単に「モジュール」と称す。）を一時保管するためにトレイを用いている。そして、このようなトレイには内部に保管されているモジュールの種別や、仕掛かり状態を示す各種のタグやラベルが備えられている。
【０００３】
このようなタグとして、無線で情報を読み書きすることができるＲＦＩＤを用いたものが特許文献１に開示されている。特許文献１では、トレイにＲＦＩＤを用いたラベルを装着し、このＲＦＩＤに保管されているモジュールの情報を読み書きすることで、トレイ内に保管されているモジュールの種類や仕掛かり状況を管理している。
【特許文献１】特表２００３−５１９６０８公報
【発明の開示】
【発明が解決しようとする課題】
【０００４】
ところで、このようなトレイを工程内で保管する場合、これらを積み重ねて保管しなければ、大きなスペースが必要となる。特に、大型液晶テレビジョン等の大型電子機器のモジュールの場合には、非常に大きなスペースが必要となる。
【０００５】
このため、従来のトレイは、図６に示すように、積み重ね可能な構造で形成されている。
【０００６】
図６（ａ）は従来のトレイの概略構成を示す外観斜視図であり、図６（ｂ）はその積み重ね状態を示す斜視図である。
【０００７】
トレイ１は、例えば、高強度発泡素材等により略直方体形状に形成されており、モジュールが配置される保管用凹部２を備える。そして、トレイ１には、ＲＦＩＤを備える無線タグ１０が所定位置に、貼り付けられたり埋め込まれたりすることにより配置されている。
また、略直方体形状の上面側の各側辺部に所定の凹凸を設けることで上嵌合部３を備え、略直方体形状の下面側の各辺部に、上嵌合部３に嵌合する形状で凹凸を設けることで下嵌合部４を備える。
【０００８】
そして、複数のトレイ１同士の上嵌合部３と下嵌合部４とを、図６（ｂ）に示すように嵌合させることで、これらのトレイ１は安定して積み重ねられる。
【０００９】
このような従来のトレイでは、積み重ねが容易になるように、上嵌合部３の対向する辺部が対称に形成されている。例えば、図６（ａ）に示すように、上嵌合部３の辺部３ａ，３ｂはトレイ１の長辺方向の中心軸に対して対称の形状であり、辺部３ｃ，３ｄはこの中心軸に垂直で且つトレイ１の中心に対して対称の形状である。このため、トレイの積み重ね方向が一定とならず、図７に示すよう、積み重ねられた複数のトレイで無線タグ１０の位置が一致しないという問題が発生する。ここで、アンテナ５０は自身が監視する工程に置かれたトレイの無線タグにのみ電波を送信し、必要以上に広範囲に電波を送信しないように電力調整されている。また、このようなトレイ等で大量に使用される無線タグ１０は電源を備えておらず、電波の送信到達範囲が短いので、例えば、３０インチ以上の画面サイズを有する大型液晶テレビジョンやプラズマテレビジョンのような大型電子機器を保管するトレイにおいては、トレイの辺（側壁）の長さが無線タグの電波の送信到達範囲よりも長くなることがある。このため、正規の方向に積み重ねられていないトレイ１の無線タグ１０ではアンテナ５０からの電波を受信できないか、無線タグ１０がアンテナ５０からの電波を受信したとしても発信する電波（情報）がアンテナ５０まで確実に到達しない。これにより、これら無線タグ１０の全てが、単一の方向に配置されたアンテナ５０からの電波を受信することができない。この結果、無線タグ１０の位置が正規の位置でないトレイ１（図７における２段目のトレイ）については保管されているモジュール１００の情報を得られないとともに、このモジュール１００に対する情報を更新することができない。
【００１０】
この発明の目的は、積み重ね状態で、全ての無線タグが確実に情報を受信および返信できる形状の電子機器保管トレイを提供することにある。
【課題を解決するための手段】
【００１１】
この発明は、内部に保管されている電子機器の情報を保持し、該情報の送受信を電波により行う無線タグが装着され、且つ上面部の側辺部および下面部の側辺部に沿ってそれぞれ上嵌合部と下嵌合部とを設けることで積み重ね可能に形成された電子機器保管トレイにおいて、該電気機器保管トレイを、一方向についてのみ積み重ね可能に形成するとともに、側辺部の一定の箇所に無線タグを装着することを特徴としている。
【００１２】
この構成では、トレイが特定の一方向にのみ積み重ねられる形状に形成されているので、この特定の一方向に合わせて上側トレイと下側トレイとを積み重ねた場合にのみ、上側トレイの下嵌合部と下側トレイの上嵌合部とが嵌合し、且つ無線タグの位置が一致する。一方、上下のトレイの向きが共に特定の方向で一致しない、すなわち上下のトレイで積み重ね方向が異なる場合には上側トレイの下嵌合部と下側トレイの上嵌合部とが嵌合せず、且つ無線タグの位置が一致しない。
【００１３】
この発明は、内部に保管されている電子機器の情報を保持し、該情報の送受信を電波により行う無線タグが装着され、且つ上面部の側辺部および下面部の側辺部に沿ってそれぞれ上嵌合部と下嵌合部とを設けることで積み重ね可能に形成された略直方体形状の電子機器保管トレイにおいて、上嵌合部と下嵌合部の少なくも１組の対向する側辺部を非対称形状に形成し、この非対称形状に対して特定の位置に無線タグを装着することを特徴としている。
【００１４】
この構成では、上嵌合部と下嵌合部とが非対称形状に形成されているので、正規の方向にトレイを積み重ねた場合には上側トレイの下嵌合部と下側トレイの上嵌合部とが嵌合し、且つ無線タグの位置が一致する。一方、上下のトレイの向きが反対になる、すなわち正規の方向にトレイが積み重ねられない場合には上側トレイの下嵌合部と下側トレイの上嵌合部とが嵌合せず、且つ無線タグの位置が一致しない。このため、正規の方向に、すなわち無線タグの位置が揃う状態にトレイを積み重ねた場合にはこれらトレイが確実に積み重なるが、正規の方向とは異なる方向に、すなわち無線タグの位置が揃わない状態にトレイを積み重ねた場合にはこれらトレイが確実に積み重ならず不安定な積み重ね状態となる。そして、このような不安定な積み重ね状態はオペレータにとって容易に確認可能であるので、もしこのような積み重ねが起きても、即座に正規の方向に積み重ね直すことができる。
【００１５】
また、この発明の電子機器保管トレイは上嵌合部と下嵌合部との少なくとも１つの角部を他の角部と異なる形状に形成することを特徴としている。
【００１６】
この構成では、１つの角部を他の角部と異ならせることにより、上嵌合部と下嵌合部のそれぞれ対向する辺部が同時に非対称形状になる。このため、直方体形状に対して容易な形状変更により嵌合部の非対称形状が形成される。
【００１７】
また、この発明の電子機器保管トレイは、上嵌合部と下嵌合部との他の角部とは形状の異なる角部を有する側壁の角部を、他の側壁の角部と異なる形状としたことを特徴としている。
【００１８】
この構成では、トレイの１角部が他の角部と異なるので、オペレータはトレイの方向性を容易に確認することができる。
【発明の効果】
【００１９】
この発明によれば、トレイが確実に正規の方向に積み重ねられるので、これらトレイに備えられた無線タグの位置が水平方向において一致する。これにより、全ての無線タグが確実に外部のアンテナからの電波を受信することができるとともに、これら無線タグから返信される電波をアンテナが確実に受信することができる。この結果、各トレイに保管されている電子機器モジュールの種類や仕掛かり情報を確実に取得、更新することができる。
【発明を実施するための最良の形態】
【００２０】
本発明の第１の実施形態に係る電子機器保管トレイについて図を参照して説明する。なお、以下の説明では、電子機器保管トレイを単に「トレイ」と称す。
図１は本実施形態の電子機器保管トレイの外観斜視図である。そして、（ａ）は上面（電子機器モジュール投入面）側から見た外観斜視図であり、（ｂ）は下面側から見た外観斜視図であり、（ｃ）は電子機器モジュール保管状態での上面側から見た外観斜視図である。
図１に示すように、トレイ１は略直方体形状で形成されており、側壁により囲まれた電子機器モジュール保管用凹部２が設けられている。この側壁は、上面の各側端部から電子機器モジュール保管用凹部２の底面にかけて順に窪む段差が設けられており、最も高い外側部分と中間部分との段差により凹凸部３ａ〜３ｄを形成することで上嵌合部３（３ａ〜３ｄ）が形成されている。
【００２１】
一方、トレイ１の下面は、前記上嵌合部３に対向する形状で、各側端部から所定幅の位置で側端部よりも突出しており、この凹凸部４ａ〜４ｄにより下嵌合部４が形成されている。
【００２２】
トレイ１の１角（図１における凹凸部３ｂ、３ｃを備える側壁が交わる角部）は、その頂点から両辺方向に所定長さ切り取られた形状の切り欠き部５が形成されている。そして、上嵌合部３の切り欠き部５に対応する角部は、切り欠き部５の端面から所定幅で前記凹凸部３ａ〜３ｄと同様の凹凸部を設けることで、上面から見た形状が面取り形状となる面取り部６が形成されている。これにより、上嵌合部３の上面から見た形状は１角が切り取られ他の３角が直角な五角形状となっている。一方、下嵌合部４の切り欠き部５に対応する角部は、切り欠き部５の端面から所定幅で前記凹凸部４ａ〜４ｄと同様の凹凸部を設けることで下面から見た形状が面取り形状となる面取り部７が形成されている。これにより、下嵌合部４の下面から見た形状も１角が切り取られ他の３角が直角な五角形状となっている。
【００２３】
このような構造とすることで、上嵌合部３は、トレイ１の長辺方向の中心線に対して凹凸部３ａを有する側と凹凸部３ｂを有する側とが非対称な形状となり、トレイ１の短辺方向の中心線に対して凹凸部３ｃを有する側と凹凸部３ｄを有する側とが非対称な形状となる。また、下嵌合部４は、トレイ１の長辺方向の中心線に対して凹凸部４ａを有する側と凹凸部４ｂを有する側とが非対称な形状となり、トレイの１の短辺方向の中心線に対して凹凸部４ｃを有する側と凹凸部４ｄを有する側とが非対称な形状となる。
【００２４】
また、トレイ１の切り欠き部５の近傍で、凹凸部３ｂを有する側壁の電子部品保管凹部２側には、所定幅で深さの溝が形成されており、この溝にＲＦＩＤ１１を備える無線タグ１０が装着され、接着剤等で固定されている。
【００２５】
また、トレイ１は、高圧縮性発泡素材により形成されており、所定の強度を備える。そして、このトレイ１は金型により形成されるので、一旦、金型を形成すれば同形のトレイを大量に形成することができる。
【００２６】
次に、このトレイ１の使用方法について説明する。
【００２７】
トレイ１の電子機器保管用凹部２の底面には図示していない複数の電子機器保持台が形成されており、この電子機器保持台上に所定部が当接するように図１（ｃ）に示すような液晶テレビジョン等の電子機器の未完成モジュール（以下、「電子機器モジュール」と称す）１００を配置する。これにより、電子機器保管用凹部２内に電子機器モジュール１００が保持される。
【００２８】
このように電子機器モジュール１００が保管された複数のトレイ１を積み重ねる場合、オペレータは切り欠き部５を揃えるように、すなわち図２に示すように、上下に重ね合わせる。
図２は電子機器保管トレイの積み重ね状態を示す斜視図であり、（ａ）は分解斜視図、（ｂ）は積み重ね後の外観斜視図である。
図２に示すように、トレイ１ａ〜１ｃを積み重ねる場合には、各トレイ１ａ〜１ｃの切り欠き部５が同じ位置になるように積み重ねる。この際、トレイ１ａ〜１ｃの側壁の角部は、１角のみに切り欠き部５が設けられていることにより、オペレータはトレイ１ａ〜１ｃの積み重ね方向を容易に一致させることができる。
【００２９】
ここで、トレイ１ａ〜１ｃが前述の構造であり、積み重ね方向が一致すると、トレイ１ａの下嵌合部４とトレイ１ｂの上嵌合部３とが嵌合し、トレイ１ｂの下嵌合部４とトレイ１ｃの上嵌合部３とが嵌合する。これにより、トレイ１ａ〜１ｃを安定して積み重ねることができる。このように積み重ねると、各トレイ１ａ〜１ｃの無線タグ１０ａ〜１０ｃの取り付け位置は同じとなるので、無線タグ１０ａ〜１０ｃの水平方向の位置は一致する。すなわち無線タグ１０ａ〜１０ｃがトレイ１ａ〜１ｃの積み重ね方向（垂直方向）に沿って配置される。
【００３０】
なお、ここで、トレイ１ａ〜１ｃの積み重ね方向が一致しない、すなわち、トレイ１ａ〜１ｃの切り欠き部５が一致しないように積み重ねられると、図３に示すように、各トレイ間に隙間が生じ不安定な積み重ね状態となる。
【００３１】
図３は積み重ね方向が揃っていない場合のトレイの積み重ね状態を示す外観斜視図である。
このように切り欠き部５の位置が揃っておらず、隙間が生じることで、オペレータはこれらのトレイが正規の方向に積み重ねられていないことを容易に確認することができる。これにより、オペレータは即座にトレイを正規の方向に積み重ね直すことができる。
【００３２】
次に、積み重ねられたトレイ１ａ〜１ｃが工程内の所定位置に達すると、この位置に設置されているアンテナ５０から情報取得信号が発信され、この情報取得信号を各トレイ１ａ〜１ｃに装着された無線タグ１０ａ〜１０ｃのＲＦＩＤ１１ａ〜１１ｃが受信し、情報取得信号に応じた情報信号をＲＦＩＤ１１ａ〜１１ｃが発信する。この情報信号としては、例えば、トレイ１ａ〜１ｃ内に保管されているモジュールの種類や、工程仕掛かり状況等である。この情報信号がアンテナ５０で受信されると、アンテナ５０に接続された制御装置はこれを解析してトレイ１ａ〜１ｃ内に保管されているモジュールの情報を取得する。そして、この情報に基づき所定の作業を行う。そして、モジュールの状態が変化すれば（工程が進めば）、制御装置からトレイ内のモジュールの新たな仕掛かり情報がアンテナ５０を介して送信され、この情報信号をＲＦＩＤ１１ａ〜１１ｃが受信してＲＦＩＤ内のメモリに記憶されている情報を更新する。
【００３３】
このような構成とすることにより、仕掛かり中のモジュールを確実且つ正確に管理することができる。
【００３４】
次に、第２の実施形態に係る電子機器保管トレイについて図４を参照して説明する。
図４は電子機器保管トレイを上面側から見た外観斜視図である。
図４に示す電子機器保管トレイは、トレイ１の側壁の角部に切り欠き部５を設けず、上嵌合部３と下嵌合部４との１角部を他の角部と異なる形状で構成したものであり、この上嵌合部３、下嵌合部４の形状を含む他の構造は図１に示した電子機器保管トレイと同じである。
このような構成としても、トレイの積み重ね方向が一致しなければ、積み重ね状態が不安定になりトレイ間に隙間ができるので、オペレータは容易にこの状態に気づき、正確にトレイを積み重ねることができる。これにより、無線タグの位置を一致させることができ、確実に情報の取得及び更新が可能なトレイを構成することができる。
【００３５】
次に、第３の実施形態に係る電子機器保管トレイについて図を参照して説明する。
図５は本実施形態の電子機器保管トレイの外観斜視図である。
図５に示す電子機器保管トレイ１は、長辺側の側壁の上嵌合部３の略中心にトレイ１の中心方向に所定長さで突出する突起部８を備えており、下嵌合部４の略中心に、突起部８に嵌合する形状で、トレイ１の中心方向に所定深さ窪んだ凹部９を備えている。なお、この他の構成は従来のトレイと同じである。
このような構成としても、第１、第２の実施形態と同様に、積み重ね方向を一致させなければ確実にトレイを積み重ねることができないので、オペレーレータは積み重なり状態を視認して、確実にトレイを積み重ねることができる。これにより、無線タグの位置を一致させることができ、確実に情報の取得及び更新が可能なトレイを構成することができる。
【図面の簡単な説明】
【００３６】
【図１】第１の実施形態に係る電子機器保管トレイの斜視図
【図２】図１に示した電子機器保管トレイの積み重ね状態を示す斜視図
【図３】積み重ね方向が揃っていない場合のトレイの積み重ね状態を示す外観斜視図
【図４】第２の実施形態に係る電子機器保管トレイの外観斜視図
【図５】第３の実施形態に係る電子機器保管トレイの外観斜視図
【図６】従来の電子機器保管トレイの斜視図
【図７】図６に示した電子機器保管トレイの積み重ね状態を示した斜視図
【符号の説明】
【００３７】
１，１ａ〜１ｃ−トレイ
２−電子機器保管用凹部
３−上嵌合部
３ａ〜３ｄ−上嵌合部３の凹凸部
４−下嵌合部
４ａ〜４ｄ−下嵌合部４の凹凸部
５−トレイの切り欠き部
６−上嵌合部３の一角部に設けられた面取り部
７−下嵌合部４の一角部に設けられた面取り部
８−上嵌合部３の突起部
９−下嵌合部４の凹部
【図１】
2005219763.tif 000003
【図２】
2005219763.tif 000004
【図３】
2005219763.tif 000005
【図４】
2005219763.tif 000006
【図５】
2005219763.tif 000007
【図６】
2005219763.tif 000008
【図７】
2005219763.tif 000009